(57)【要約】本発明は、頂部パネル（Ｃ）と、底部パネル（Ａ）と、頂部パネル（Ｃ）と底部パネル（Ａ）とを互いに連結する第１の側面パネル（Ｂ）と、頂部パネル（Ｃ）と底部パネル（Ａ）とを同じく互いに連結する第２の側面パネル（Ｄ，Ｅ）と、を有し、底部パネル（Ａ）と、第１の側面パネル（Ｂ）と、頂部パネル（Ｃ）と、第２の側面パネル（Ｄ，Ｅ）とが、実質的に矩形として形成される断面を有するスリーブを形成し、スリーブ（１）が、矩形と直交する滑り方向（Ｎ）に沿ってスリーブ（１）内を滑り可能であるインサート（２）を受け入れるようにされているパッケージに関する。本発明は、このパッケージを形成するブランク材にも関する。
2008524086.tif 000002
【特許請求の範囲】
【請求項１】
頂部パネル（Ｃ）と、底部パネル（Ａ）と、前記頂部パネル（Ｃ）と前記底部パネル（Ａ）とを互いに連結する第１の側面パネル（Ｂ）と、前記頂部パネル（Ｃ）と前記底部パネル（Ａ）とを同じく互いに連結する第２の側面パネル（Ｄ，Ｅ）と、を有し、前記底部パネル（Ａ）と、前記第１の側面パネル（Ｂ）と、前記頂部パネル（Ｃ）と、前記第２の側面パネル（Ｄ，Ｅ）とが、実質的に矩形として形成される断面を有するスリーブを形成し、前記スリーブ（１）が、該矩形と直交する滑り方向（Ｎ）に沿って前記スリーブ（１）内を滑り可能であるインサート（２）を受け入れるようにされているパッケージにおいて、
前記パッケージは、前記矩形の第１の内側隅部（１ａ）にあり、または該第１の内側隅部（１ａ）から第１の距離（ｄ１）だけ離れた位置にある第１の位置（７ｅ；Ｌ５）から、前記断面内を、矩形の第２の内側隅部（１ｂ；１ｂ’）にあり、または該第２の内側隅部（１ｂ；１ｂ’）から第２の距離（ｄ２）だけ離れた位置にある第２の位置（７ｇ、８ｄ）まで延びるロック部材（７；８）をさらに有し、該ロック部材（７；８）は、前記断面内で連続的または折れ線状の弧形を形成し、
前記ロック部材（７；８）は、前記第１の隅部（１ａ）と前記第２の隅部（１ｂ；１ｂ’）の間の距離より長い張出し部を有することを特徴とする、パッケージ。
【請求項２】
前記第１の内側隅部（１ａ）及び前記第２の内側隅部（１ｂ；１ｂ’）は、前記パネル（Ｄ，Ｅ；Ｃ）のうちの一つの、互いに向かい合う２つの縁部に位置している、請求項１に記載のパッケージ。
【請求項３】
前記底部パネル（Ａ）及び前記第１の側面パネル（Ｂ）は、前記底部パネル（Ａ）と前記第１の側面パネル（Ｂ）の間にヒンジを形成する第１の折り目（Ｌ１）を中心として互いに対して折り畳み可能であり、前記第１の側面パネル（Ｂ）及び前記頂部パネル（Ｃ）は、前記第１の側面パネル（Ｂ）と前記頂部パネル（Ｃ）の間にヒンジを形成する第２の折り目（Ｌ２）を中心として互いに対して折り畳み可能であり、前記頂部パネル（Ｃ）及び前記第２の側面パネル（Ｅ，Ｄ）は、前記頂部パネル（Ｃ）と前記第２の側面パネル（Ｅ，Ｄ）の間にヒンジを形成する第３の折り目（Ｌ３）を中心として互いに対して折り畳み可能であり、前記第２の側面パネル（Ｄ，Ｅ）及び前記底部パネル（Ａ）は、前記第２の側面パネル（Ｄ，Ｅ）と前記底部パネル（Ａ）の間にヒンジを形成する第４の折り目（Ｌ４）を中心として互いに対して折り畳むことができる、請求項１または２に記載のパッケージ。
【請求項４】
前記第２の側面パネル（Ｄ，Ｅ）が前記底部パネル（Ａ）の方へ折り畳まれるように、前記側面パネル（Ｅ，Ｄ，Ｂ）を、前記底部パネル（Ａ）に対して、それぞれ前記第１及び第３の折り目（Ｌ１，Ｌ３）を中心として１つの同じ折り畳み方向（Ｗ）に同時に折り畳むことによって、前記スリーブは折り畳み可能であり、前記矩形の前記第１の内側隅部（１ａ）は、前記頂部パネル（Ｃ）と前記第２の側面パネル（Ｅ，Ｄ）とによって形成される、請求項３に記載のパッケージ。
【請求項５】
前記矩形の前記第１の内側隅部（１ａ）は、前記頂部パネル（Ｃ）と前記第２の側面パネル（Ｄ，Ｅ）とによって形成され、前記第２の内側隅部（１ｂ）は、前記第２の側面パネル（Ｄ，Ｅ）と前記底部パネル（Ａ）とによって形成される、請求項１から４のいずれか１項または２項以上に記載のパッケージ。
【請求項６】
前記ロック部材（７）は、前記断面内を、前記第２の位置（７ｇ）から、前記頂部パネル（Ｃ）に沿って前記第１の内側隅部（１ａ）から第１の距離（ｄ１）だけ離れた位置にある前記第１の位置（７ｅ）まで延び、本質的に弧状の張出し部を形成するようにされた、第１の部分（７ａ）と第２の部分（７ｂ）とを有する、請求項５に記載のパッケージ。
【請求項７】
前記第１の部分（７ａ）と第２の部分（７ｂ）とは、前記矩形の法線（Ｎ）と平行に延びる折り目（７ｆ）に沿って相互に連結され、前記頂部パネル（Ｃ）及び前記第２の側面パネル（Ｅ，Ｄ）に沿った前記第１の位置（７ｇ）から前記第２の位置（７ｅ）までの距離は、前記ロック部材（７）の前記第１及び第２の部分（７ａ，７ｂ）に沿った前記第１の位置（７ｅ）から前記第２の位置（７ｇ）までの距離と実質的に等しい、請求項６に記載のパッケージ。
【請求項８】
前記第１の部分（７ａ）は、前記底部パネル（Ａ）に沿った幾何学的成分が前記第１の位置を越えて延びるように、前記第２の位置（７ｇ）から延びるようにされている、請求項５から７のいずれか１項または２項以上に記載のパッケージ。
【請求項９】
前記ロック部材（７）は、前記第１の内側隅部（１ａ）に位置する前記第１の位置（Ｌ５）から前記頂部パネル（Ｃ）の内面に沿って前記第２の部分（７ｂ）まで延びるようにされた第３の部分（７ｃ）をさらに有し、前記第２の部分（７ｂ）と第３の部分（７ｃ）とは、前記矩形の法線（Ｎ）と平行に延びる折り目（Ｌ８）に沿って相互に連結されている、請求項５から８のいずれか１項または２項以上に記載のパッケージ。
【請求項１０】
前記第２の側面パネル（Ｄ，Ｅ）及び第３の部分（７ｃ）に沿った、前記第１の位置（Ｌ５）から前記第２の部分（７ｂ）と前記第３の部分（７ｃ）の間の前記折り目（Ｌ８）までの距離は、前記ロック部材（７）の前記第１及び第２の部分（７ａ，７ｂ）に沿った、前記第２の部分（７ｂ）と前記第３の部分（７ｃ）の間の前記折り目（Ｌ８）から前記第２の位置（７ｇ）までの距離と実質的に等しい、請求項９に記載のパッケージ。
【請求項１１】
前記矩形の前記第１の内側隅部（１ａ）は、前記頂部パネル（Ｃ）と前記第２の側面パネル（Ｄ，Ｅ）とによって形成され、前記矩形の前記第２の内側隅部（１ｂ’）は、前記頂部パネル（Ｃ）と前記第１の側面パネル（Ｂ）とによって形成される、請求項１から４のいずれか１項または２項以上に記載のパッケージ。
【請求項１２】
前記スリーブ（１）が組み立てられ、実質的に矩形として形成された断面を有するときに、前記第１の位置（７ｅ；Ｌ５）と前記第２の位置（７ｇ；８ｄ）の間に第１の幾何学的距離が定められ、前記第２の側面パネル（Ｄ，Ｅ）が前記底部パネル（Ａ）に接触するように折り畳まれるように前記スリーブが折り畳まれたときに前記第１の位置（７ｅ；Ｌ５）と前記第２の位置（７ｇ；８ｄ）の間に第２の幾何学的距離が形成され、前記第２の幾何学的距離は前記第１の幾何学的距離より長く、前記ロック部材（８）は、前記第１の幾何学的距離を超え、実質的に前記第２の幾何学的距離に一致する長さを有する、請求項１１に記載のパッケージ。
【請求項１３】
前記第２の側面パネル（Ｅ，Ｄ）は、前記底部パネル（Ａ）に連結された第１の側面パネル部（Ｄ）と、前記頂部パネル（Ｃ）に連結された第２の側面パネル部（Ｅ）と、を有し、前記第１の部分（Ｄ）の外面は前記第２の部分（Ｅ）の内面に当接し、かつ固定されている、請求項１から１２のいずれか１項または２項以上に記載のパッケージ。
【請求項１４】
前記ロック部材（７，８）は、前記第２の側面パネルの前記第１の部分（Ｄ）と一体に形成されている、請求項１３に記載のパッケージ。
【請求項１５】
頂部パネル（Ｃ）と、底部パネル（Ａ）と、第１の側面パネル（Ｂ）と、第２の側面パネル（Ｄ，Ｅ）とを有し、前記第２の側面パネル（Ａ）は、第１の部分（Ｄ）と第２の部分（Ｅ）とを有し、前記底部パネル（Ａ）及び前記第１の側面パネル（Ｂ）は、前記底部パネル（Ａ）と前記第１の側面パネル（Ｂ）の間にヒンジを形成する第１の折り目（Ｌ１）を中心として互いに対して折り畳み可能であり、前記第１の側面パネル（Ｂ）及び前記頂部パネル（Ｃ）は、前記第１の側面パネル（Ｂ）と前記頂部パネル（Ｃ）の間にヒンジを形成する第２の折り目（Ｌ２）を中心として互いに対して折り畳み可能であり、前記頂部パネル（Ｃ）及び前記第２の側面パネルの前記第２の部分（Ｅ）は、前記頂部パネル（Ｃ）と前記第２の側面パネルの第２の部分（Ｅ）の間にヒンジを形成する第３の折り目（Ｌ３）を中心として互いに対して折り畳み可能であり、前記第２の側面パネルの前記第１の部分（Ｄ）及び前記底部パネル（Ａ）は、前記第２の側面パネルの前記第１の部分（Ｄ）と前記底部パネル（Ａ）の間にヒンジを形成する第４の折り目（Ｌ４）を中心として互いに対して折り畳み可能であり、前記第１、第２、第３、及び第４の折り目（Ｌ１，Ｌ２，Ｌ３，Ｌ４）は互いに平行に延びているブランク材において、
前記ブランク材は、前記第２の側面パネルの前記第１の部分（Ｄ）から前記第１、第２、第３、及び第４の折り目（Ｌ１，Ｌ２，Ｌ３，Ｌ４）と直交する方向に延びるロック部材（７，８）をさらに有しており、前記ロック部材（７，８）及び前記第２の側面パネルの前記第１の部分（Ｄ）は、前記第１の部分（Ｄ）と前記ロック部材（７，８）の間にヒンジを形成する第５の折り目（Ｌ５）を中心として互いに対して折り畳み可能であり、前記第４の折り目（Ｌ４）及び前記第５の折り目（Ｌ５）は互いに平行に延びており、該第４の折り目（Ｌ４）と該第５の折り目（Ｌ５）の間に前記第１の部分（Ｄ）が形成されており、前記ロック部材（７，８）は、前記底部パネル（Ａ）または前記第１の側面パネル（Ｂ）の内面に固定されるようにされた固定パネル（７ｄ，８ｃ）を有しており、
前記ブランク材は、ロック部材（７，８）と補強パネル（Ｆ）とをさらに有しており、前記頂部パネル（Ｃ）及び前記補強パネル（Ｆ）は、前記頂部パネル（Ｃ）と前記補強パネル（Ｆ）の間にヒンジを形成する第６の折り目（Ｌ６）を中心として互いに対して折り畳み可能であり、前記第６の折り目（Ｌ６）は、前記第１、第２、第３、及び第４の折り目（Ｌ１，Ｌ２，Ｌ３，Ｌ４）に対して垂直であり、前記ロック部材（７）は、前記補強パネル（Ｆ）から、前記第１、第２、第３、及び第４の折り目（Ｌ１，Ｌ２，Ｌ３，Ｌ４）と垂直な方向に延びており、前記ロック部材（７）及び前記補強パネル（Ｆ）は、前記補強パネル（Ｆ）と前記ロック部材（７）の間にヒンジを形成する第７の折り目（７）を中心として互いに対して折り畳み可能であり、前記第７の折り目（Ｌ７）は、前記第１、第２、第３、及び第４の折り目（Ｌ１，Ｌ２，Ｌ３，Ｌ４）と平行に延びており、前記ロック部材（７）は、前記底部パネル（Ａ）または前記第１の側面パネル（Ｂ）の内面に固定されるようにされた固定パネル（７ｃ）を有していることを特徴とする、ブランク材。
【請求項１６】
前記ロック部材（７，８）は、前記第２の側面パネルの前記第１の部分（Ｄ）と一体に形成されている、請求項１５に記載のブランク材。
【請求項１７】
前記ロック部材（７，８）は、前記補強パネル（Ｆ）と一体に形成されている、請求項１５に記載のブランク材。
【請求項１８】
前記ロック部材（７，８）は前記第５の折り目（Ｌ５）または前記第７の折り目（Ｌ７）と平行に延びる第８の折り目（Ｌ８）を備え、前記ロック部材（７）に沿った前記第８の折り目（Ｌ８）と前記固定パネル（７ｄ）の間の距離と、前記第４の折り目（Ｌ４）と前記底部パネル（Ａ）上の前記固定パネル（７ｃ）の指定された固定点の間の距離と、の和は、前記ブランク材がパッケージとして形成されたときの前記第４の折り目（Ｌ４）と前記第３の折り目（Ｌ３）の間の距離と、前記第５の折り目（Ｌ５）または第７の折り目（Ｌ７）と前記第８の折り目（Ｌ８）の間の距離と、の和に等しい、請求項１５から１７のいずれか１項または２項以上に記載のブランク材。
【請求項１９】
前記第５の折り目（Ｌ５）と前記固定パネル（８ｃ）の間で定められる第１の幾何学的距離は、前記第２の折り目（Ｌ２）と前記第３の折り目（Ｌ３）の間に定められる第２の距離と同一またはそれより大きい、請求項１５または１６に記載のブランク材。
【発明の詳細な説明】
【技術分野】
【０００１】
発明の分野
本発明は、単位用量の製品などを子供がいたずらできずかつ高齢者にも使いやすいように格納する、管理された扱いやすいパッケージに関する。このパッケージは、子供がパッケージの内部の製品を取り出すことを防止するロック機能を備えている。このパッケージは何度も開閉することができ、最後には廃棄することができる。
【０００２】
本発明は、頂部パネルと、底部パネルと、頂部パネルと底部パネルとを互いに連結する第１の側面パネルと、頂部パネルと底部パネルとを同じく互いに連結する第２の側面パネルと、を有し、底部パネルと、第１の側面パネルと、頂部パネルと、第２の側面パネルとが、実質的に矩形として形成される断面を有するスリーブを形成し、スリーブが、矩形と直交する滑り方向に沿ってスリーブ内を滑り可能であるインサートを受け入れるようにされているパッケージに関する。
【０００３】
本発明はさらに、頂部パネルと、底部パネルと、第１の側面パネルと、第２の側面パネルとを有し、第２の側面パネルは、第１の部分と第２の部分とを有し、底部パネル及び第１の側面パネルは、底部パネルと第１の側面パネルの間にヒンジを形成する第１の折り目を中心として互いに対して折り畳み可能であり、第１の側面パネル及び頂部パネルは、第１の側面パネルと頂部パネル間にヒンジを形成する第２の折り目を中心として互いに対して折り畳み可能であり、頂部パネル及び第２の側面パネルの第２の部分は、頂部パネルと第２の側面パネルの第２の部分の間にヒンジを形成する第３の折り目を中心として互いに対して折り畳み可能であり、第２の側面パネルの第１の部分及び底部パネルは、第２の側面パネルの第１の部分と底部パネルの間にヒンジを形成する第４の折り目を中心として互いに対して折り畳み可能であり、第１、第２、第３、及び第４の折り目は互いに平行に延びているブランク材に関する。
【背景技術】
【０００４】
技術背景
ヨーロッパ特許第１００２７４４Ａ１号は、外側の板紙ケースの中の内部スライドカード上に単位用量製品を収納する２分割式板紙容器を開示している。このパッケージは、スライドカードがロック解除機構を作動させずに引き出されるのを防止する２つの内部ロックを有している。このパッケージは、何度も開閉し、最後には廃棄でき、子供がいたずらできずかつ高齢者に使いやすい単位用量製品を提供することに焦点が当てられている。
【０００５】
板紙ケースは、２つの狭いパネルによって連結された３つの主パネルから成るブランク材を折り畳むことによって形成される。ブランク材の中央主パネルはパッケージの底面を形成するようになっており、一方、ブランク材の２つの外側主パネルの一方は、パッケージの頂面を形成するようにされている。他の外側パネルは、パッケージの内側頂面を形成するようにされている。内側頂面と頂面は互いに接着される。
【０００６】
内側頂面を形成するパネルは、貫通開口または切抜き部を備えている。頂面を形成するパネルは、卵形として形成された切り込み線を備えている。パネルはこの切り込み線に沿って切られる。卵形の切り込み線及び貫通開口は、パッケージを形成する際に、卵形の切り込み線が貫通開口の上に位置するように、２つの外側パネル上に位置している。パネルの、この卵形の切り込み線内の部分は、押しボタンとして押すことができる。
【０００７】
内側スライドカードは、前縁（スライドカードがパッケージに挿入されるときの前縁）に形成され、スライドカード上で裏側に折り畳み直されるタブを備えている。スライドカードを完全にケースの内部に挿入すると、折り畳み直されたタブは、その跳ね返り特性のために、内側頂面を形成するパネルの貫通開口に入る。
【０００８】
ユーザがスライドカードを引くと、タブが貫通開口に押し込まれ、従って、スライドカードがパッケージから引き出されることが防止される。しかし、ユーザが押しボタンを押すと、タブが貫通開口から押し出され、従って、スライドカードをパッケージから引き出すことができる。
【０００９】
パッケージは、スライドカードがパッケージに挿入される開口部の位置に、スライドカードの折り畳み直されたタブと相互作用してスライドカードがパッケージから完全に引き出されることを防止する、内側に折り畳まれたタブを備えている。
【００１０】
しかし、このパッケージは、満足の行く構成を具現していない。折り畳み直されたタブは、（内側に数回押し込まれた後）その跳ね返り特性の一部でも劣化すると、完全な跳ね返り運動を行わない。ヨーロッパ特許第１００２７４４Ａ１号に開示されたパッケージの構成は、内側頂面を形成するパネルの厚さに依存するものである。従って、ロック機能は、パッケージ用に十分に厚い材料を選択することに依存している。従って、折り畳み直されたタブの跳ね返り性能がわずかに劣化しても、折り畳み直されたタブは、貫通開口に入らず、ロック機能が実現されない。さらに、押しボタンの跳ね返りが不十分であると、押しボタンが貫通開口内の空間を占有し、従って、折り畳み直されたタブの跳ね返りに逆効果をもたらす力を折り畳み直されたタブにかける。
【００１１】
国際公開第０２／３８４５４Ａ１号パンフレットは、板紙で作られ、スリーブとインサートとを有し、スリーブが、スリーブの内側に配置された少なくとも１つのキャッチタブを備え、かつ少なくとも１つの突起を備え、従って、キャッチタブが、スリーブの上壁に対してある角度を形成するパッケージを開示している。少なくとも１つのロックタブが、インサート上に設けられ、少なくとも部分的にキャッチタブと上壁の間に挿入されるように配置されている。少なくとも１つの作動タブが設けられ、さらに、スリーブは、作動タブの隣に少なくとも１つの切抜き部を備え、作動タブは、ロックタブに接触するようにユーザに押されるようにされ、インサートを滑り方向に開口部の方へ動かすことが可能になる。この構成は十分なロック機能を提供することが分かっているが、この構成をいわゆる平畳み・接着済み構成のパッケージに使用することは困難であることが分かっている。
【００１２】
国際公開第０３／１０１８４０号パンフレットは、基本的に直方体状のスリーブと、スリーブの開口部を通して滑り方向にスリーブに挿入しかつスリーブから引き出すことのできるインサートとを有し、スリーブが、滑り方向に実質的に平行な４枚の長手方向壁を有するパッケージを開示している。このパッケージは、スリーブが、第１の長手方向壁から第２の長手方向壁まで延びる第１のストップタブを備え、タブが、第１の長手方向壁及び第２の長手方向壁から少なくとも部分的に分離されていること、インサートが第１のロック縁部を有し、第１のロック縁部が第１のストップタブに接触すると、インサートがスリーブから出ることが防止されること、及び第１のロック縁部が、ユーザの操作によりインサートの一部を弾性変形させることによって、第１のストップタブを越えて移動できることを特徴としている。
【００１３】
この構成は十分なロック機能を提供することが分かっているが、この構成をいわゆる平畳み・接着済み構成のパッケージに使用することは困難であることが分かっている。
【発明の開示】
【課題を解決するための手段】
【００１４】
発明の概要
従って、本発明の目的は、一方では十分なロック機能を実現し、他方ではこのロック機能を備えた平畳み・接着済み構成のパッケージに容易に適合可能な、ロック機能の基本的構成を提供することである。
【００１５】
この目的は、本発明に従い、本出願の導入部で定義され、さらにパッケージは、矩形の第１の内側隅部にあり、または第１の内側隅部から第１の距離だけ離れた位置にある第１の位置から、断面内を、矩形の第２の内側隅部にあり、または第２の内側隅部から第２の距離だけ離れた位置にある第２の位置まで延びるロック部材をさらに有し、ロック部材は、断面内で連続的または折れ線状の弧形を形成し、ロック部材は、第１の隅部と第２の隅部の間の距離より長い張出し部を有することを特徴とするパッケージによって定義される種類のパッケージによって実現される。この種のロック部材を導入することによって、十分なロック機能を実現することができる。ロック部材は、例えば台形や平らにされたＶ字形などの、連続的な弧形または折れ線状の弧形としてスリーブの断面内を延びる。弧は、パッケージ壁の内面からパッケージの断面内に延びる部分と、パッケージ壁の内面に戻る別の部分とを有している。従って、弧は、その伸長部の一部が、壁のすべての内面から離れて位置する。弧は、断面内を延び内壁から離れて位置する当該部分を導入する任意の幾何学的形状を有することができる。スリーブに導入されるインサートは、ロック部材がロック機能を考慮に入れた強固な構成を作り出すため、大きな構成自由度で構成することができる。滑り方向と実質的に平行にまたは滑り方向に対してわずかに傾斜した線に沿って、インサート上で折り戻されたロックタブを備えたインサートを、スリーブに挿入することができる。ロック部材は、挿入中に、ロックタブをスリーブ内にさらに入り込ませるように折り畳み直す。インサートのロックタブは、ロック部材を通過した後、ロック部材の開口部の後方でまたは開口部内で跳ね返ることができる。インサートをスリーブから取り外すとき、ロックタブがロック部材を通過することはできない。１つまたは２つ以上のパネル、好ましい実施態様では頂部パネルは、パネルの一部をスリーブ内に折り込み、インサートのロックタブに力をかけることができるように部分的な切抜き部を備えている。従って、ロックタブは、ロックタブがパッケージのロック部材を通過できる程度に折り畳み直すことができる。ロック部材は、弧状に延びているので、ロックタブの跳ね返りがわずかに足りないといった問題が生じない。ロックタブの跳ね返りが著しく弱まったときでも、ロックタブをロック部材を越える位置まで通過させるには顕著な折り畳み直しが必要になるため、ロック機能は依然として機能する。
【００１６】
ロック部材をスリーブの断面に対して上述のように位置させると、基本的な構成を、平畳みすることのできるパッケージ構成に適合させることが可能になる。平畳み・接着済み構成を論じる際、いくつかの異なる可能性が考えられることに留意されたい。非網羅的なリストには、接着済みの側面パネル及び接着済みのロック部材を有する展開可能パッケージと、接着済みのロック部材及び接着されていない側面パネルを有する展開可能パッケージと、（ほぼ、ロック部材のみが接着済みの展開可能パッケージとしての）ロック部材が接着済みである非折り畳みブランク材とが含まれる。従って、「接着済み」は、ロック部材の接着及び／または側面パネルの接着を指すことができる。
【００１７】
本発明の一態様によれば、ロック部材は、スリーブの左上隅部から右上隅部まで延びる平らにされたＶ字形のブリッジである。ロック部材は、第１の隅部と第２の隅部の間の距離より長い張出し部を有している。ブリッジは、２つの隅部間の直線距離より長い弧の長さを有し、従って、強制的にスリーブの断面内に延びる。パッケージを平畳みすると、互いに平行に配置されたパネルは仮の伸長を示す。これは、板紙が、単一の幾何学的線を中心として折り畳まれず、実際には折り畳み領域内で曲げられ変形するためである。しかし、本発明の分野内では、このような折り畳みに使用される用語は折り目である。従って、パッケージを平畳みすると、パッケージは、ロック部材が、パッケージを平畳みするのに逆効果となるロック部材の望ましくない折り畳みを生じることなく、直線を形成するのを可能にする。ロック部材は、第２の側面パネルに沿って左上隅部から第１の距離に位置する点から、第１の側面パネルに沿って右上隅部から第２の距離に位置する点まで延びることができる。第１の距離が第２の距離と等しい場合、上述の仮の伸長は依然として生じる。第１の距離が第２の距離より長く、第２の側面パネルが底部パネルに接触するように折り畳まれるようにパッケージを平らに畳んだ場合、ロック部材の第１の位置が底部パネルに沿って第２の位置と同じ量ずれないため、追加的な仮の伸長が生じる。ブリッジを形成するロック部材は、側面パネルの内側に連結された場合、ブランク材として、対応する頂部パネルと同じ長さを有することができる。これは、ロック部材が、パッケージが組み立てられるときに利用可能な空間の仮の縮小を受けるからである。従って、ロック部材は、弧状で断面内を延びる。
【００１８】
本発明の一態様によれば、ロック部材は、頂部パネルに沿って左上隅部から第１の距離に位置する第１の位置から左下隅部の第２の位置まで延びる折れ線状の弧形に形成される。パッケージを平畳みすると、ロック部材はさらに断面内に折り畳まれる。第２の側面パネル及び頂部パネルに沿った左下隅部から第１の位置までの距離が、ロック部材の弧の長さに等しい場合、ロック部材はパッケージを平畳みを可能とする。これによって、ロック部材は、第１の隅部と第２の隅部の間の距離より長い張出し部を有する。この状況に対して、第１及び第２の位置をそれぞれ頂部パネル及び底部パネルに沿って同じ量だけ動かすことができる。この場合、適切な距離は、第２の位置から頂部パネルまでの間の幾何学的距離に、第２の位置に対する第１の位置の相対変位を足した距離である。この相対距離は、ロック部材の弧の長さと等しくすべきである。第１の位置が左上隅部に位置し、第２の位置が左下隅部に位置することも可能である。このような構成では、ロック部材の一部は頂部パネルに沿って延びるか、またはある点で頂部パネルに当接する。この追加的な部分は、仮の第１の位置を形成し、適切な距離は上記のように定められる。第１の位置が第２の側面パネルに沿って左上隅部から第１の距離に位置することも可能である。ロック部材は、この場合も、頂部パネルの方へ延び、かつ頂部パネルに当接し、これによって仮の第１の位置を形成する部分を有していてもよい。
【００１９】
このように、本発明の上述の特徴は、パッケージを様々な方法で平畳みすることを可能とする基本的な構成を開示している。このように形成されたロック部材は、平らに畳まれたパッケージを矩形のスリーブとして組み立てるときに自動的に組み立てられることに留意されたい。幾何学的制約によって、ロック部材は、上述のように強制的に所望の位置をとる。
【００２０】
ロック部材を別個の部材で形成した場合、本発明の第１の態様では、第１の位置を頂部パネルに沿って大きく動かすことができる。しかし、いずれにしても、第１及び第２の距離は、所与の関連する隅部と関連しており、これらの距離は、その隅部を中心として折り畳まれたパネルに沿った距離である。従って、第１及び第２の距離の一方または両方が関連する隅部からある距離だけ変位させられたロック要素は、第１及び第２の位置がこれらの隅部に位置するロック部材と基本的に同じ移動パターンを示す。
【００２１】
ロック部材は、パッケージの壁を形成するパネルの１つに設けられた切抜き部で形成することもできる。このような切抜き部は、上述のように、パッケージ内に内側に折り畳まれ、側壁の別の１枚に固定される。ロック部材は、例えば、頂部パネルの切抜き部で形成することができ、この切抜き部は、側面パネルからの２つの切り込みと、頂部パネルの中央部でこの２つの切り込みを接合する切り込みとで形成される。このように形成されたロック部材は、側面パネルから２つの切り込み間を延び、パネル間の折り目と平行に延びる幾何学的線を中心として折り畳むことができる。幾何学的線は、パッケージの隅部または隅部から所与の距離に位置することができる。切抜き部を断面内に折り畳み、別のパネルに固定することによって、別個の部材またはブランク材に付加された部分でロック部材を形成するのと同様にして、ロック部材が得られる。しかし、この場合、パッケージの一部が、別のパネルで覆うことのできる開口部を備える。別の外側パネルの内側に配置された補強パネルに切抜き部を形成する場合、パッケージに望ましくない開口部を形成せずに切抜き部ロック部材を形成することができる。
【００２２】
矩形は、４つの辺の長さが互いに等しい方形として形成してもよいことに留意されたい。
【００２３】
本発明の好ましい実施態様は従属クレームにおいて定義される。
【００２４】
第１の内側隅部及び第２の内側隅部は、パネルのうちの一つの、互いに向かい合う２つの縁部に位置していることが好ましい。これによって、パッケージを平らに畳み／組み立てる際の幾何学的変化は、上述のようなスリーブによる距離の変化ではなく、ロック部材の受ける距離の変化を生じさせる。縁部がこれらの隅部、またはこれらの隅部から所与の距離に位置する場合、パッケージをこれらの隅部を中心として折り畳むと、得られる距離に上記の差が生じる。
【００２５】
底部パネル及び第１の側面パネルは、底部パネルと第１の側面パネルの間にヒンジを形成する第１の折り目を中心として互いに対して折り畳み可能であり、第１の側面パネル及び頂部パネルは、第１の側面パネルと頂部パネルの間にヒンジを形成する第２の折り目を中心として互いに対して折り畳み可能であり、頂部パネル及び第２の側面パネルは、頂部パネルと第２の側面パネルの間にヒンジを形成する第３の折り目を中心として互いに対して折り畳み可能であり、第２の側面パネル及び底部パネルは、第２の側面パネルと底部パネルの間にヒンジを形成する第４の折り目を中心として互いに対して折り畳むことができることが好ましい。これによって、パッケージを容易に平畳みすることができる。折り目を中心として折り畳まれたブランク材からパッケージを形成することも可能である。
【００２６】
第２の側面パネルが底部パネルの方へ折り畳まれるように、側面パネルを、底部パネルに対して、それぞれ第１及び第３の折り目を中心として１つの同じ折り畳み方向に同時に折り畳むことによって、スリーブは折り畳み可能であり、矩形の第１の内側隅部は、頂部パネルと第２の側面パネルとによって形成されることが好ましい。
【００２７】
本発明の一態様によれば、矩形の第１の内側隅部は、頂部パネルと第２の側面パネルとによって形成され、第２の内側隅部は、第２の側面パネルと底部パネルとによって形成される。これによって、ロック部材を断面の一方の側に形成するベースが形成される。これによって、断面内に大きく張出すロック部材を形成し、従って、極めて信頼性の高いロック機能を形成するベースも形成される。
【００２８】
ロック部材は、断面内を、第２の位置から、頂部パネルに沿って第１の内側隅部から第１の距離だけ離れた位置にある第１の位置まで延び、本質的に弧状の張出し部を形成するようにされた、第１の部分と第２の部分とを有することが好ましい。これによって、信頼できるロック機能についての上述の利点がさらに向上する。ロック部材は、頂部パネルに沿って左上隅部から第１の距離に位置する第１の位置から左下隅部の第２の位置まで延びる折れ線状または湾曲した弧形に形成することができる。パッケージを平畳みすると、ロック部材はさらに断面内に折り畳まれる。
【００２９】
第１の部分と第２の部分とは、矩形の法線と平行に延びる折り目に沿って相互に連結され、頂部パネル及び第２の側面パネルに沿った第１の位置から第２の位置までの距離は、ロック部材の第１及び第２の部分に沿った第１の位置から第２の位置までの距離と実質的に等しいことが好ましい。これによって、ロック部材は、障害物を形成すること無しにパッケージの平畳みを可能にする。
【００３０】
第１の部分は、底部パネルに沿った幾何学的成分が第１の位置を越えて延びるように、第２の位置から延びるようにされていることが好ましい。これによって、パッケージを平畳みすると、ロック部材は確実に、引き続き断面内に折り畳まれる。
【００３１】
ロック部材は、第１の内側隅部に位置する第１の位置から頂部パネルの内面に沿って第２の部分まで延びるようにされた第３の部分をさらに有し、第２の部分と第３の部分とは、矩形の法線と平行に延びる折り目に沿って相互に連結されていることが好ましい。これによって、ロック部材をパッケージの他のパネルとの一体部分として形成し、しかもスリーブの連続的な外面を有することが容易となる。
【００３２】
第２の側面パネル及び第３の部分に沿った、第１の位置から第２の部分と第３の部分の間の折り目までの距離は、ロック部材の第１及び第２の部分に沿った、第２の部分と第３の部分の間の折り目から第２の位置までの距離と実質的に等しいことが好ましい。上述のように、これによって、ロック部材の追加的な第３の部分が第２の部分と共に、第３の部分と第２の部分の間の折り目の位置に仮の第１の位置を形成する状況が得られ、適切な距離が上記のように定められる。比較すべき適切な距離は、第２の側面パネルに沿った距離に、ロック部材の距離または弧の長さではなくロック部材の第３の部分の長さを足した距離として定義することもできる。
【００３３】
本発明の一態様によれば、矩形の第１の内側隅部は、頂部パネルと第２の側面パネルとによって形成され、矩形の第２の内側隅部は、頂部パネルと第１の側面パネルとによって形成される。この構成では、Ｖ字形または弧形のロック部材は、スリーブの断面の一方の側から他方の側まで延びる。これは対称的な解決策を示し、これによって、インサートの挿入及び取り外しの際に良好な位置合わせ特性が得られる。さらに、インサートを構成する際に高い構成自由度が得られる。
【００３４】
スリーブが組み立てられ、実質的に矩形として形成された断面を有するときに、第１の位置と第２の位置の間に第１の幾何学的距離が定められ、第２の側面パネルが底部パネルに接触するように折り畳まれるようにスリーブが折り畳まれたときに第１の位置と第２の位置の間に第２の幾何学的距離が形成され、第２の幾何学的距離は第１の幾何学的距離より長く、ロック部材は、第１の幾何学的距離を超え、実質的に第２の幾何学的距離に一致する長さを有することが好ましい。これによって、ロック部材は、パッケージが組み立てられ、すなわち、矩形の断面を有するときに、強制的に断面内を延び、かつパッケージを平らに畳んだ時に、ロック部材は頂部パネルに沿って平坦に形成される。
【００３５】
第２の側面パネルは、底部パネルに連結された第１の側面パネル部と、頂部パネルに連結された第２の側面パネル部と、を有し、第１の部分の外面は第２の部分の内面に当接し、かつ固定されていることが好ましい。これによって、パッケージを完全に形成するようにブランク材を構成することが容易となる。さらに、側面パネルを分割するのではなく第１の隅部を上述のように配置すると、上述のようにパッケージを平畳みすること自体に関して追加的な利益が得られる。この様な側面パネルを有するパッケージは、第１の部分及び頂部パネルが連続的な面を形成するように外側側面パネル（第１の位置）と頂部パネルの間の隅部または折り目が開放または広げられるようにして平畳みすることを障害物無しに可能にする。第１及び第２の部分を逆に配置した場合、すなわち、第１の部分を第２の部分の外側に配置した場合、第１の隅部を、底部パネルと第１の部分の間の隅部になるように形成し直すべきである。逆向きに折り畳まれたパッケージは、パネルが座屈するかまたは各パネル長を異ならせることが必要になる。
【００３６】
ロック部材は、第２の側面パネルの第１の部分と一体に形成され、これによって、単一のブランク材からパッケージを形成できるようにすることが好ましい。
【００３７】
上記の目的は、本発明に従い、本出願の導入部によって定義され、ブランク材は、第２の側面パネルの第１の部分から第１、第２、第３、及び第４の折り目と直交する方向に延びるロック部材をさらに有しており、ロック部材及び第２の側面パネルの第１の部分は、第１の部分とロック部材の間にヒンジを形成する第５の折り目を中心として互いに対して折り畳み可能であり、第４の折り目及び第５の折り目は互いに平行に延びており、第４の折り目と第５の折り目の間に第１の部分が形成されており、ロック部材は、底部パネルまたは第１の側面パネルの内面に固定されるようにされた固定パネルを有しており、ブランク材は、ロック部材と補強パネルとをさらに有しており、頂部パネル及び補強パネルは、頂部パネルと補強パネルの間にヒンジを形成する第６の折り目を中心として互いに対して折り畳み可能であり、第６の折り目は、第１、第２、第３、及び第４の折り目に対して垂直であり、ロック部材は、補強パネルから、第１、第２、第３、及び第４の折り目と垂直な方向に延びており、ロック部材及び補強パネルは、補強パネルとロック部材の間にヒンジを形成する第７の折り目を中心として互いに対して折り畳み可能であり、第７の折り目は、第１、第２、第３、及び第４の折り目と平行に延びており、ロック部材は、底部パネルまたは第１の側面パネルの内面に固定されるようにされた固定パネルを有しているという特徴によってさらに定義される種類のブランク材でも実現される。
【００３８】
パッケージに関して、ロック部材の構成及びパッケージの構成それ自体によるいくつかの利点について述べた。上記に定義されたブランク材は、各パネルの相互の配置を規定し、かつ、様々なパネルに対するロック部材の構成をも規定する。ブランク材が補強パネルを備える場合、このパネルは、頂部パネルの内側に折り畳まれるようになっており、従って、ロック部材が第２の側面パネルの第１の部分上に直接配置された場合にロック部材が配置される位置と基本的に同じ位置にロック部材を配置する（補強パネルがロック部材を保持する場合）。ブランク材は補強部材を備えていてもよく、ロック部材は、第２の側面パネルの第１の部分によって保持される。
【００３９】
本発明の好ましい実施態様は、従属クレームにおいて定義される。
【００４０】
本発明の一態様によれば、ロック部材は、第２の側面パネルの第１の部分と一体に形成されている。これによって、補強パネルを導入するか否かによって基本的な構成を変更する必要がなくなる。さらに、これによって、第２の側面パネルに沿った第１の位置の厳密な位置を変更するための融通性も得られる。
【００４１】
本発明の一態様によれば、ロック部材は、補強パネルと一体に形成されている。これによって、頂部パネルに沿った第１の位置の位置は、補強パネルとロック部材の間の折り目の位置を変更することによって定めることができる。
【００４２】
本発明の一態様によれば、ロック部材は第５の折り目または第７の折り目と平行に延びる第８の折り目を備え、ロック部材に沿った第８の折り目と固定パネルの間の距離と、第４の折り目と底部パネル上の固定パネルの指定された固定点の間の距離と、の和は、ブランク材がパッケージとして形成されたときの第４の折り目と第３の折り目の間の距離と、第５の折り目または第７の折り目と第８の折り目の間の距離と、の和に等しい。これによって、連続的または折れ線状の弧形のロック部材は、第２の側面パネルの近くに配置される。
【００４３】
本発明の一態様によれば、第５の折り目と固定パネルの間で定められる第１の幾何学的距離は、第２の折り目と第３の折り目の間に定められる第２の距離と同一またはそれより大きい。これによって、断面の幅全体を横切って延びる平らにされたＶ字形のブリッジができる。第５の折り目と固定パネルの間の距離が第２の折り目と第３の折り目の間に定められる第２の距離に等しい場合、ロック部材は、パッケージの平畳み及び組み立てによる頂部パネルとは異なり、ロック部材の受ける相対長の変化によってＶ字形または弧形のブリッジとして延びる。ロック部材が第２の距離よりも長い場合、ロック部材は、やはり、パッケージの平畳み及び組み立てによる頂部パネルとは異なり、ロック部材の受ける相対長の変化によってＶ字形または弧形のブリッジとして延びる。ロック部材が第２の距離より著しく長い場合、パッケージのそれぞれの異なる側のロック部材の固定点を互いに対して移動させることによってこれを補償することができる。
【発明を実施するための最良の形態】
【００４４】
添付の概略図は、本発明の現在の好ましい実施形態を示している。
【００４５】
好ましい実施形態の詳細な説明
以下の詳細な説明では、２つの実施形態を詳細に説明する。対応する特徴は、どちらの実施形態に関しても同じ参照番号によって参照されている。
【００４６】
図１及び図８に示すように、スリーブ１は、インサート２を受け入れるようにされている。インサート２は、滑り方向Ｎへの滑り運動によってスリーブ１から取り外すことができる。スリーブ１は矩形の断面を形成し、滑り方向Ｎはこの矩形の法線に沿った方向を向いている。インサート２が滑り方向Ｎに沿ってスリーブ１から外側に引っ張られても、ロック機能によって、インサート２が引き出されることが防止される。ユーザは、インサート２を解放する前にボタン３を押さなければならない。さらに、ユーザがボタン３を押す前にインサート２をスリーブ１から引き出し始めることは、その場合ロック機能が開放不能な状態となるため、ボタン３を押す助けにはならない。従って、まずボタン３を押してロック機能を解除しなければならず、そうしてインサート２をスリーブ１から引き出すことができる。このロック機能の詳細について後述する。
【００４７】
図２及び図９は、２つの基本的な実施形態による２つのパッケージまたはスリーブ１を形成するための２つのブランク材を示している。パネルは参照符号Ａ〜Ｋで示されている。パネルＡは底部パネルをとしても示されている。パネルＢは第１の側面パネルをとしても示されている。パネルＣは頂部パネルをとしても示されている。パネルＤは第２の側面パネルの第１の部分をとしても示されている。パネルＥは第２の側面パネルの第２の部分をとしても示されている。パネルＦは補強パネルをとしても示されている。
【００４８】
パネルＡ〜Ｆは、多数の折り目Ｌ１〜Ｌ４及びＬ６に沿って、互いに対して折り畳むことができる。これらの折り目は、第１〜第４の折り目及び第６の折り目としても示される。
【００４９】
パネルＡとパネルＢは、パネルＡとパネルＢの間にヒンジを形成する折り目Ｌ１を中心として互いに対して折り畳むことができる。同様に、パネルＢとパネルＣは折り目Ｌ２に沿って、パネルＣとパネルＥは折り目Ｌ３に沿って、パネルＡとパネルＤは折り目Ｌ４に沿って、パネルＣとパネルＦは折り目Ｌ６に沿って互いに連結されている。
【００５０】
ブランク材は、紙ベースの包装材料から形成されている。包装材料はポリマーコーティングを備えていてもよい。このコーティングによって、引裂き抵抗力及びユーザの取り扱いに対する材料の抵抗力が強くなり、コーティングは包装材料に跳ね返り機能を与えることを助ける。折り目は折り付け作業によって形成されるが、これは当技術分野で公知であり詳しくは説明しない。一実施形態では、インサート２は同様の材料で形成される。後述するように、跳ね返り機能は、特にインサート２を構成する際に重要な機能である。パッケージ及び／またはインサートはポリマー系の材料で形成することもできる。このようなポリマー材料は、同一または異種のポリマー材料の単層または数層として形成することができる。
【００５１】
パネルＡ〜Ｆは、折り目Ｌ１〜Ｌ４、及びＬ６に沿って折り畳まれ、矩形の断面を有するスリーブ１を形成する。パネルＦは、スリーブ１の内側に配置されるように、最初に折り畳まれ、接着剤によってパネルＣに取り付けられる。補強パネルＦは、頂部パネルＣの内側を完全にまたは部分的に覆うことができる。スリーブ１を示す各図では、図を分かりやすくするためにパネルＦが省略されている。パネルＨ〜Ｋも図２及び図９に示すように折り目に沿って折り畳まれる。まず、パネルＩ，Ｋが内側に折り畳まれ、次に、パネルＪまたはＨがパネルＩ及びＫ上に折り畳まれ、次に、残ったパネルＨまたはＪが折り畳まれ、スリーブ１の端壁の形成が終了する。
【００５２】
図２及び図９を見ると分かるように、ブランク材は、スリーブ１の前壁を形成するようにされたパネルを備えていない。インサート２は、第３のパネル２ｃによって分離された２つの折り目を中心として互いの上に折り畳まれるようにされた２枚のパネル２ａ，２ｂを備えている。この第３のパネル２ｃは、パッケージ１に無い端壁を形成するようにされている。
【００５３】
２つのブランク材はまた、折り目Ｌ９を中心としてスリーブ１内に折り畳まれるようにされたパネルＧを備えている。インサート２は、インサート２がスリーブ１に挿入されると裏側にさらに折り畳まれるようにされた対応するパネル２ｄを備えている。インサート２をスリーブ１から外側に引くと、パネル２ｄはスリーブ１の底部パネルＡに沿って進み、底部パネルＡとパネルＧとで形成される角度になる。パネル２ｄが折り目Ｌ９に当たると、パネル２ｄの折りを戻してインサート２をスリーブ１からさらに取り外せるようにする必要があるが、２枚のパネル２ｄ，Ｇはいずれも、それぞれの折り目に対して垂直方向にスリーブ１の高さよりも大きく張出しているため、インサート２を外側に引いただけでは２枚のパネルの折りを戻すことはできない。従って、インサート２がスリーブ１から完全に取り外されることが防止される。
【００５４】
頂部パネルＣは卵形の切抜き部３ａを備えている。パネルＣの、切抜き部３ａ内の部分は、押されると、切抜き部の端部３ｃと端部３ｄの間を延びる折り目３ｂ（折り目が付けられているか、または想像線）に沿ってスリーブ１内に折り畳まれる。パネルＦは、このような形状の押しボタン３がスリーブ１内に入るのを可能にする開口部４を形成する完全な切抜き部を備えている。
【００５５】
図１，２及び図８，９に示すように、ブランク材は、パネルＣとパネルＦの間及びパネルＡとパネルＧの間に切抜き部５，６を備えている。これらの切抜き部は、指で握るだけでインサート２をスリーブ２から引き出すことを可能にするスリーブ１の把持開口部を形成している。
【００５６】
第１の基本的な実施形態によれば、ブランク材は、従ってスリーブ１もまた、パネルＤに取り付けられたロック部材７を備えている。図２に示すように、ロック部材７は補強パネルＦに取り付けることもできる。以下に詳しく説明するように、ロック部材は頂部パネル及び底部パネルに直接取り付けられる別個の部材として形成できることにも留意されたい。
【００５７】
ロック部材は、３つの折り目７ｅ〜７ｇによって４枚のパネル７ａ〜７ｄに分割されている。ロック部材７は、第５の折り目としても示されている折り目Ｌ５に沿ってパネルＤに連結されている。他の実施形態では、ロック部材７は、第７の折り目としても示されている折り目Ｌ７に沿って補強パネルＦに連結されている。
【００５８】
図５〜７は、固定パネルとしても示されているパネル７ｄが、底部パネルＣとパネルＥの間の折り目Ｌ３に折り目７ｇが従うように底部パネルＣに固定されていることを示している。
【００５９】
ブランク材が矩形のスリーブ２に形成されると、ロック部材は、折れ線状の弧形でスリーブ１内を延びる。隅部１ｂと隅部１ａの間及び隅部１ａから第８の折り目Ｌ８としても示されている折り目７ｅまでの距離が、折り目７ｅから折り目７ｆまで及び折り目７ｆから隅部１ｂまでの距離と比較される。この２つの距離が互いに等しい場合、ロック部材７を折り畳み、スリーブ１を平畳みすることができる。パネル７ａは、折り目７ｆが、折り目７ｅ，Ｌ８が位置する点よりも断面内部に位置するように延びている。パネル７ｃは、頂部パネルＣの内側に固定されていない。他の実施形態では、パネル７ｃをパネルＤから切り離し、その代わりに頂部パネルＣの内側に固定してもよい。ロック部材７が弧状に延びる起点である点７ｂは、第１の位置としても示されている。図２に示すように、第１の位置７ｂは、第１の隅部１ａから距離ｄ１の所に位置している。第１の点７ｂ、及び第２の位置としても示されている第２の点７ｇを、頂部パネルＣ及び底部パネルＡに沿ってずらし、第２の位置も第２の隅部１ｂから距離ｄ２だけ離すことができることも上述した。第１の位置でロック部材７をパネルＤに連結させることができることも上述した。パネル７ａはロック部材７の第１の部分としても示されており、パネル７ｂはロック部材７の第２の部分としても示されており、パネル７ｃはロック部材７の第３の部分としても示されている。
【００６０】
他の実施形態では、ロック部材７は、図１５に示すように追加の折り目７ｅ’を備えている。このブランク材は、ロック部材７の構成についてわずかな違いがあるだけで図２のブランク材と同等であるため、図１５では、限られた数の参照番号しか示していない。追加の折り目７ｅ’は、折り目７ｅの近傍を折り目７ｅと平行に延びている。２つの折り目７ｅ，７ｅ’は、２つの折り目７ｅ，７ｅ’に対応する、（長手方向に延びる張出しを横切る）横方向に拡幅された一つの折り目として形成することもできる。拡幅された折り目または二重の折り目によって、弧状の張出しをロック機能に関して最適化し、しかも完全に平畳みすることができるようにロック部材７を形成することができる。折り目７ｅ，７ｅ’の一方は、ロック部材７を平畳みすることができるように上述の距離関係を満たす位置にあり、折り目７ｅ，７ｅ’の他方は、ロック部材７が所望の状態または最適化された状態で断面内を延びる位置にある。パッケージを組み立てたときに、平畳みを可能にする折り目７ｅの位置でロック部材７が断面内を十分に延びる場合には、図２の実施形態で開示された１つの折り目７ｅのみを使用すれば十分である。もちろん、追加の折り目すなわち横方向に拡幅された折り目７ｅ，７ｅ’は、ロック部材７を別個の部材として、あるいは側面パネル部Ｄの張出し部として、あるいは補強パネルＦの張出し部として、あるいは、補強パネルＦの切抜き部として、あるいは頂部パネルＣの切抜き部として形成するときに使用することができる。
【００６１】
インサート２は、折り目２ｇに沿ってインサート２に対して折り畳み可能なロックタブ２ｅを備えている（図３及び図４）。ロックタブ２ｅの後縁２ｅ’と折り目２ｇの角度は、前縁２ｅ”が滑り方向に対して直交するように相互に関連している。ロックタブ２ｅの前縁２ｅ”は、インサート２をスリーブ１に挿入したときにロック部材７に当接する傾斜面を形成するように弧状に形成されている。ロックタブ２ｅは、傾斜面２ｅ”によって、インサート２をスリーブ１に挿入するときにさらに折り畳まれ、従って、ロックタブ２ｅは、最終的にロック部材７を通り抜け、ロック部材７の後方で跳ね返ることができる。この状況は図７に示されている。ロック部材７も、インサート２の挿入を容易にする傾斜した前縁を備えている。
【００６２】
インサートをロック機構から解放するときには、押しボタン３がスリーブ１に押し込まれ、ロックタブ２ｅが再度ロック部材７を通過できるように、インサート２のロックタブ２ｅがインサート２の基本平面に折り畳まれる。この状況は図５に示されている。
【００６３】
第２の基本的な実施形態によれば、ブランク材は、従ってスリーブ１も、ロック部材８を備えている。ロック部材８は、第５の折り目としても示されている折り目Ｌ５に沿ってパネルＤに取り付けられている。ロック部材は、２つの中央パネル８ａ，８ｂと固定パネル８ｃとを有している。固定パネル８ｃは、図１２，１４に示すように、パネルＥに固定されるようにされている。パネル８ｃは、折り目８ｄに沿ってパネル８ｂに連結されている。折り目Ｌ５と折り目８ｄの間の距離は、折り目Ｌ２と折り目Ｌ３の間の距離、すなわち、頂部パネルＣの幅より長い。従って、スリーブ１を組み立てると、ロック部材８は、図１３，１４に示すように、スリーブ１の断面内を延びる弧状の張出し部を強制的に形成させられることになる。
【００６４】
図１４において、スリーブは、頂面Ｃを底面Ａに対して右にずらすことによって平らに畳まれる。これによって、折り目Ｌ３と折り目Ｌ５を結ぶ幾何学線は、パッケージから外側にほぼ４５°を向いた方向からほぼ鉛直方向まで回転する。ロック部材８と頂面Ｃの長さについて考えると、頂面Ｃの有効長は、平畳みする間に、折り目Ｌ３と折り目Ｌ５の変位の差に対応する量だけ、ロック部材８よりも増える。
【００６５】
さらに折り畳まれる隅部１ｂ’では、折り目８ｄと折り目Ｌ２を結ぶ幾何学線は、外側にほぼ４５°を向いた方向からほぼ水平方向まで変化する。従って、この隅部でも外側が部材より大きく変位するが、その差は反対側の隅部１ａでの差より小さい。
【００６６】
さらに折り畳まれる（隅部１ｂ’の）折り目では、折り目の相対変位によって生じる変化は、外側材料を基準に、折り目間距離（平畳み後の距離）から折り目間距離のｓｉｎ４５°（平畳み前の距離）を引いた値になる。平らにされる（隅部１ａの）折り目では、この変化は、外側材料を基準に、折り目間距離のｓｉｎ４５°（平畳み後の距離）から零（平畳み前の距離）を引いた値になる。従って、有効長は、ほぼｓｉｎ４５°−（１−ｓｉｎ４５°）、すなわち、折り目間距離の約０．４倍だけ長くなる。折り目間距離は材料厚さと同じオーダーであることに留意されたい。幾何学的には、折り目間距離はほぼ、材料厚さに２の平方根を乗じた値となる。この現象は平畳みする方向とは無関係に生じる。
【００６７】
さらに、左上隅部１ａは、左側面Ｄの内側材料で形成される左下隅部１ｃの周りをピボット運動し、右上隅部１ｂ’は、右側面の外側材料Ｂで形成される右下隅部１ｄの周りをピボット運動するため、これらの幾何学的レバーアームは、内側左隅部の動きを内側右隅部より小さくし、外側左隅部の動きを外側右隅部の動きより大きくする。従って、外側材料は、内側材料に対し幾何学的に伸びることになる。
【００６８】
従って、このような現象は、スリーブが図１４の矢印Ｗによって示されるように折り畳まれるときに生じる。頂部パネルＣの幅に付加される折り目８ｄと折り目Ｌ５の間の追加的な距離が、頂部パネルＣが受ける上述の伸長に等しい場合、ロック部材８はスリーブ１の平畳みを可能とする。
【００６９】
ロック部材８は、２つの貫通開口８ｅ，８ｆを備えている。第２の実施形態によるインサート２は、第１の実施形態と同様の態様で、２つのロックタブ２ｅ，２ｆを備えている。ロックタブ２ｅ，２ｆは折り目２ｇ，２ｈを中心として折り畳むことができる。インサート２をスリーブ１に挿入すると、ロックタブ２ｅ，２ｆは開口部８ｅ，８ｆ内に跳ね返り、インサート２がスリーブ１から引き出されることが防止される。
【００７０】
ロックタブ２ｅ，２ｆは２つの後縁２ｅ’，２ｆ’を備えている。開口部８ｅ，８ｆはそれぞれ、滑り方向Ｎと直交する方向からわずかに傾斜した後縁８ｅ’，８ｆ’を備えている。折り目２ｇ，２ｈの角度、ロックタブ２ｅ’，２ｆ’の後縁及び開口部８ｅ，８ｆの後縁８ｅ’，８ｆ’の角度は、ユーザが最初に押しボタン３を押さずにインサート２をスリーブ１から引き出そうとした場合に、ロックタブ２ｅ，２ｆが滑り方向において後縁８ｅ’，８ｆ’を少なくとも部分的に通過するような角度が選択される。このため、ユーザがボタン３を押すと、ロックタブ２ｅ，２ｆをロック部材８の下に折り畳むことができなくなる。従って、ユーザは、インサートを押し込み直し、次にインサート２を引き出す前にボタンを押さなければならない。第１の実施形態と同様に、ロックタブ２ｅ，２ｆは湾曲した前縁を備えており、ロック部材は傾斜した前縁を備えている。第１の実施形態のロック機能も、ユーザに最初にボタンを押させるこの追加的な特徴を備えていてもよい。これは、ロックタブ２ｅの後縁部をロック部材の後縁より傾斜させることによって、第２の実施形態と同様に実現される。図１３は、押しボタン３がロックタブ２ｅ，２ｆを開口部８ｅ，８ｆを通してどのように押し戻し、従って、インサート２をスリーブ１から引き出せるようにするかを示している。
【００７１】
上述のように、ロック部材８は、隅部１ａ，１ｂ’に対して折り目Ｌ５及び８ｄを距離ｄ１，ｄ２に沿って下げることによって、断面内を下まで降ろすことができる。頂部パネルＣが受ける伸長をさらに大きくするためには、折り目Ｌ５が折り目８ｄよりわずかに下方となるようにすればよい。
【００７２】
各図に示すように、インサート２は、ある種の薬を収納するいわゆるブリスタパックとして形成することができる。しかし、インサート２を使用して、保護を欲し、かつおそらくは子供が取り出しにくくことを欲するあらゆる種類の商品を収納することができる。従って、インサート２は、カミソリの刃、化学物質などに使用することができる。このパッケージは、キャンディーその他の小形の物品に使用することもできる。このパッケージを使うことで、このような物を子供がいたずらできないように格納することができる。パッケージをポケットや財布に入れて持ち運びながら小形の物をパッケージ内に保管する目的で、このようなパッケージを用いることも有益である。ロック機能によって、パッケージが誤って開くことが防止され、従って、チューイングガムや喉飴がパッケージから落ちることが防止される。
【００７３】
補強パネルＦが折り返され頂部パネルＣの内側に取り付けられる場合、補強パネルＦは、もし切抜き部を備えていなければロック部材７が当接するであろう補強パネルＦの位置に、切抜き部を備えていてもよいことに留意されたい。このように、ロック部材７は、補強パネルＦがある場合でも頂部パネルＣに当接する。従って、ロック部材７が利用可能な空間は、補強部材Ｆの存在によって影響を受けることはない。
【００７４】
もちろん、パッケージまたはブランク材が上述の種類のロック部材を２つ以上備えてよいことにも留意されたい。
【００７５】
さらに、上記の説明に開示された構成では、インサートを外側に引き出す前にボタンを押してロック部材を解放した場合にのみパッケージを開くことができることにも留意されたい。滑り方向と直交する縁部を備えたロック部材及びロックタブを有し、従って、ユーザがまずインサートを外側に引き、その後、インサートがロックされたことを認識した後にボタンを押させるようにし、かつ依然としてロックタブがロック部材を通過するのを可能にする構成を得ることも考えられる。ロック部材の縁部を他の角度にすることも考えられる。
【図面の簡単な説明】
【００７６】
【図１】本発明の第１の実施形態によるパッケージを示す斜視図である。
【図２】図１に示すパッケージ用のブランク材を示す図である。
【図３】図１に示すパッケージに挿入されるインサートを示す図である。
【図４】タブが折り畳まれた、図３のインサートを示す図である。
【図５】ロックタブが折り畳まれた、図２のブランク材の一部を示す斜視図である。
【図６】図５のブランク材と図４のインサートの相互作用を示す斜視図である。
【図７】図６に対応する断面図である。
【図８】本発明の第２の実施形態によるパッケージを示す斜視図である。
【図９】図８に示すパッケージ用のブランク材を示す図である。
【図１０】図８に示すパッケージに挿入されるインサートを示す図である。
【図１１】ロックタブが折り畳まれた、図１０のインサートを示す斜視図である。
【図１２】ロックタブが折り畳まれた、図９のブランク材の一部を示す斜視図である。
【図１３】図１２のブランク材と図１１のインサートの相互作用を示す斜視図である。
【図１４】図１３に対応する断面図である。
【図１５】他の好ましい実施形態による、図１に示すパッケージ用のブランク材の図である。
【図１】
2008524086.tif 000003
【図２】
2008524086.tif 000004
【図３】
2008524086.tif 000005
【図４】
2008524086.tif 000006
【図５】
2008524086.tif 000007
【図６】
2008524086.tif 000008
【図７】
2008524086.tif 000009
【図８】
2008524086.tif 000010
【図９】
2008524086.tif 000011
【図１０】
2008524086.tif 000012
【図１１】
2008524086.tif 000013
【図１２】
2008524086.tif 000014
【図１３】
2008524086.tif 000015
【図１４】
2008524086.tif 000016
【図１５】
2008524086.tif 000017
【国際調査報告】
2008524086.tif 000018
2008524086.tif 000019
2008524086.tif 000020
2008524086.tif 000021